【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
基地局から、前記ＵＥのためのリソースブロックのセットを備えるアップリンクリソース割振りを受信することと、
前記ＵＥの複数のアンテナの各アンテナについてのそれぞれのダウンリンクチャネル特性を決定することと、前記ダウンリンクチャネル特性は、前記リソースブロックのセットに対応する、
前記決定されたそれぞれのダウンリンクチャネル特性に少なくとも部分的に基づいて、前記リソースブロックのセットの第１のサブセットを前記複数のアンテナの第１のアンテナに、および、前記リソースブロックのセットの第２のサブセットを前記複数のアンテナの第２のアンテナに、マッピングすることと、前記第１のサブセットは前記第２のサブセットとは異なる、
前記マッピングに少なくとも部分的に基づいて、前記複数のアンテナのそれぞれのアンテナ上で１つまたは複数のアップリンク送信を送信するために、前記リソースブロックのセットの前記第１のサブセットおよび前記第２のサブセットのうちの少なくとも１つを使用することと
を備える方法。
【請求項２】
前記第１のサブセットおよび前記第２のサブセット前記リソースブロックのセットを前記それぞれのアンテナに前記マッピングすることは、スロットごとまたはサブフレームごとのうちの少なくとも１つで実行される、請求項１に記載の方法。
【請求項３】
前記複数のアンテナの各アンテナについての前記それぞれのダウンリンクチャネル特性を前記決定することが、
信号対雑音比（ＳＮＲ）、信号対干渉雑音比（ＳＩＮＲ）、または受信信号強度インジケータ（ＲＳＳＩ）のうちの少なくとも１つを含む各アンテナについての前記それぞれのダウンリンクチャネル特性を決定することをさらに備える、請求項１に記載の方法。
【請求項４】
前記複数のアンテナの各アンテナについてのダウンリンクチャネル状態情報（ＣＳＩ）を決定することをさらに備える、請求項１に記載の方法。
【請求項５】
前記リソースブロックのセットの前記第１のサブセットおよび前記第２のサブセットを前記複数のアンテナの前記それぞれのアンテナに前記マッピングすることが、
前記複数のアンテナの各アンテナについての前記決定されたダウンリンクＣＳＩに少なくとも部分的に基づいて、個別のリソースブロックを前記複数のアンテナの前記それぞれのアンテナにマッピングすることを備える、請求項４に記載の方法。
【請求項６】
前記ＣＳＩ決定に使用されるサブキャリアが、前記リソースブロックのセットの前記第１のサブセットおよび前記第２のサブセットに対応する、請求項４に記載の方法。
【請求項７】
前記複数のアンテナのうちの少なくとも１つのアンテナについての現在のダウンリンクＣＳＩを測定することと、
前記複数のアンテナのうちの前記少なくとも１つのアンテナについての履歴ＣＳＩにアクセスすることと
をさらに備え、
各アンテナについての前記ダウンリンクＣＳＩを前記決定することが、前記測定すること、前記アクセスすること、またはそれらの組合せに少なくとも部分的に基づいて、前記複数のアンテナのうちの前記少なくとも１つのアンテナについて前記ダウンリンクＣＳＩを決定することを備える、
請求項４に記載の方法。
【請求項８】
前記第１のアンテナまたは前記第２のアンテナが、前記複数のアンテナのうちの最も高いダウンリンクチャネル状態情報（ＣＳＩ）を有する、請求項１に記載の方法。
【請求項９】
前記それぞれのアンテナ上で１つまたは複数のアップリンク送信を送信するために、前記リソースブロックのセットの前記第１のサブセットおよび前記第２のサブセットのうちの少なくとも１つを前記使用することが、
前記ＵＥのデジタルベースバンドにおいて前記第１のアンテナおよび前記第２のアンテナを選択することを備える、請求項１に記載の方法。
【請求項１０】
前記それぞれのアンテナ上で１つまたは複数のアップリンク送信を送信するために、前記リソースブロックのセットの前記第１のサブセットおよび前記第２のサブセットのうちの少なくとも１つを前記使用することが、
前記ＵＥのアンテナポートにおいて前記第１のアンテナおよび前記第２のアンテナを選択することを備える、請求項１に記載の方法。
【請求項１１】
前記リソースブロックのセットの前記第１のサブセットと前記リソースブロックのセットの前記第２のサブセットとが、共通要素を持たない（disjoint）サブセットを備える、請求項１に記載の方法。
【請求項１２】
ワイヤレス通信のための装置であって、
基地局から、前記装置のためのリソースブロックのセットを備えるアップリンクリソース割振りを受信するための手段と、
前記装置の複数のアンテナの各アンテナについてのそれぞれのダウンリンクチャネル特性を決定するための手段と、前記ダウンリンクチャネル特性は、前記リソースブロックのセットに対応する、
前記決定されたそれぞれのダウンリンクチャネル特性に少なくとも部分的に基づいて、前記リソースブロックのセットの第１のサブセットを前記複数のアンテナの第１のアンテナに、および、前記リソースブロックのセットの第２のサブセットを前記複数のアンテナの第２のアンテナに、マッピングするための手段と、前記第１のサブセットは前記第２のサブセットとは異なる、
前記マッピングに少なくとも部分的に基づいて、前記複数のアンテナのそれぞれのアンテナ上で１つまたは複数のアップリンク送信を送信するために、前記リソースブロックのセットの前記第１のサブセットおよび前記第２のサブセットのうちの少なくとも１つを使用するための手段と
を備える装置。
【請求項１３】
前記リソースブロックのセットの前記第１のサブセットおよび前記第２のサブセットを前記それぞれのアンテナに前記マッピングすることは、スロットごとまたはサブフレームごとのうちの少なくとも１つで実行される、請求項１２に記載の装置。
【請求項１４】
前記複数のアンテナの各アンテナについてのダウンリンクチャネル状態情報（ＣＳＩ）を決定するための手段をさらに備える、請求項１２に記載の装置。
【請求項１５】
前記リソースブロックのセットの前記第１のサブセットおよび前記第２のサブセットを前記複数のアンテナの前記それぞれのアンテナにマッピングするための前記手段が、
前記複数のアンテナについての前記ダウンリンクＣＳＩに少なくとも部分的に基づいて、個別のリソースブロックを前記複数のアンテナの前記それぞれのアンテナにマッピングするための手段をさらに備える、請求項１４に記載の装置。
【請求項１６】
前記ＣＳＩ決定に使用されるサブキャリアが、前記リソースブロックのセットの前記第１のサブセットおよび前記第２のサブセットに対応する、請求項１４に記載の装置。
【請求項１７】
前記ダウンリンクＣＳＩを決定するための前記手段が、
前記複数のアンテナの各アンテナについての現在のダウンリンクＣＳＩを測定するための手段、前記複数のアンテナの各アンテナについての履歴ＣＳＩにアクセスするための手段、またはそれらの組合せをさらに備える、請求項１４に記載の装置。
【請求項１８】
前記複数のアンテナの各アンテナについての前記それぞれのダウンリンクチャネル特性を決定するための前記手段が、
信号対雑音比（ＳＮＲ）、信号対干渉雑音比（ＳＩＮＲ）、または受信信号強度インジケータ（ＲＳＳＩ）のうちの少なくとも１つを決定するための手段をさらに備える、請求項１２に記載の装置。
【請求項１９】
ワイヤレス通信のための装置であって、
プロセッサと、
前記プロセッサと電子通信しているメモリと、
前記メモリに記憶された命令と
を備え、前記命令は、
基地局から、リソースブロックのセットを備えるアップリンクリソース割振りを受信することと、
前記装置の複数のアンテナの各アンテナについてのそれぞれのダウンリンクチャネル特性を決定することと、前記ダウンリンクチャネル特性は、前記リソースブロックのセットに対応する、
前記決定されたそれぞれのダウンリンクチャネル特性に少なくとも部分的に基づいて、前記リソースブロックのセットの第１のサブセットを前記複数のアンテナの第１のアンテナに、および、前記リソースブロックのセットの第２のサブセットを前記複数のアンテナの第２のアンテナに、マッピングすることと、前記第１のサブセットは前記第２のサブセットとは異なる、
前記マッピングに少なくとも部分的に基づいて、前記複数のアンテナのそれぞれのアンテナ上で１つまたは複数のアップリンク送信を送信するために、前記リソースブロックのセットの前記第１のサブセットおよび前記第２のサブセットのうちの少なくとも１つを使用することと
を行うように前記プロセッサによって実行可能である、装置。
【請求項２０】
前記リソースブロックのセットの前記第１のサブセットおよび前記第２のサブセットを前記それぞれのアンテナにマッピングするための前記命令が、スロットごとまたはサブフレームごとのうちの少なくとも１つで前記リソースブロックのセットの前記第１のサブセットおよび前記第２のサブセットをマッピングするための命令を含む、請求項１９に記載の装置。
【請求項２１】
前記メモリに記憶された前記命令が、
前記複数のアンテナの各アンテナについてのダウンリンクチャネル状態情報（ＣＳＩ）を決定するように前記プロセッサによってさらに実行可能である、請求項１９に記載の装置。
【請求項２２】
前記リソースブロックのセットの前記第１のサブセットおよび前記第２のサブセットをマッピングするための前記命令が、
前記複数のアンテナの各アンテナについての前記決定されたダウンリンクＣＳＩに少なくとも部分的に基づいて、個別のリソースブロックを前記複数のアンテナの前記それぞれのアンテナにマッピングするための命令を含む、請求項２１に記載の装置。
【請求項２３】
前記ＣＳＩ決定に使用されるサブキャリアが、前記リソースブロックのセットの前記第１のサブセットおよび前記第２のサブセットに対応する、請求項２１に記載の装置。
【請求項２４】
前記ダウンリンクＣＳＩを決定するための前記命令が、
前記複数のアンテナのうちの少なくとも１つのアンテナについての現在のダウンリンクＣＳＩを測定すること、前記複数のアンテナのうちの前記少なくとも１つのアンテナの履歴ＣＳＩにアクセスすること、またはそれらの組合せを行うための命令をさらに含む、請求項２１に記載の装置。
【請求項２５】
前記複数のアンテナの各アンテナについての前記それぞれのダウンリンクチャネル特性を決定するための前記命令は、
信号対雑音比（ＳＮＲ）、信号対干渉雑音比（ＳＩＮＲ）、または受信信号強度インジケータ（ＲＳＳＩ）のうちの少なくとも１つを決定するための命令を含む、請求項１９に記載の装置。
【請求項２６】
前記リソースブロックのセットの前記第１のサブセットと前記リソースブロックのセットの前記第２のサブセットとが、共通要素を持たないサブセットを備える、請求項１９に記載の装置。
【手続補正２】
【補正対象書類名】明細書
【補正対象項目名】０１１５
【補正方法】変更
【補正の内容】
【０１１５】
[0124]本開示の前述の説明は、当業者が本開示を作成または使用することができるように与えられたものである。本開示への様々な修正は当業者に容易に明らかとなり、本明細書で定義された一般原理は、本開示の範囲から逸脱することなく他の変形形態に適用され得る。したがって、本開示は、本明細書で説明される例および設計に限定されるべきではなく、本明細書で開示される原理および新規の特徴に一致する最も広い範囲を与えられるべきである。
以下に本願の出願当初の特許請求の範囲に記載された発明を付記する。
[Ｃ１]  ワイヤレス通信の方法であって、
ユーザ機器（ＵＥ）において、基地局からのアップリンクリソース割振りを受信することと、前記アップリンクリソース割振りは、リソースブロックのセットを備える、
前記ＵＥによって、前記リソースブロックのセットのサブセットを前記ＵＥにおける複数のアンテナのうちの１つまたは複数にマッピングすることと、
前記マッピングに少なくとも部分的に基づいて、前記複数のアンテナのうちの前記１つまたは複数の上で１つまたは複数のアップリンク送信を送信するために、前記リソースブロックのセットの前記サブセットを使用することとを備える方法。
[Ｃ２]  前記マッピングは、スロットごとにまたはサブフレームごとにのうちの少なくとも１つで実行される、Ｃ１に記載の方法。
[Ｃ３]  前記リソースブロックのセットのサブセットをマッピングすることが、
前記複数のアンテナの各々についてのダウンリンクチャネル特性を決定することと、
前記ダウンリンクチャネル特性に基づいて、前記リソースブロックのセットのサブセットを前記複数のアンテナのうちの前記１つまたは複数にマッピングすることとを備える、Ｃ１に記載の方法。
[Ｃ４]  前記複数のアンテナの各々についてのダウンリンクチャネル特性を前記決定することが、
信号対雑音比（ＳＮＲ）、信号対干渉雑音比（ＳＩＮＲ）、または受信信号強度インジケータ（ＲＳＳＩ）のうちの少なくとも１つを含むダウンリンクチャネル特性を決定することをさらに備える、Ｃ３に記載の方法。
[Ｃ５]  前記ＵＥによって、前記複数のアンテナについてのダウンリンクチャネル状態情報（ＣＳＩ）を決定することをさらに備える、Ｃ１に記載の方法。
[Ｃ６]  前記リソースブロックのセットのサブセットをマッピングすることが、
前記複数のアンテナについての前記ダウンリンクＣＳＩに基づいて、個別のリソースブロックを前記複数のアンテナのうちの前記１つまたは複数にマッピングすることを備える、Ｃ５に記載の方法。
[Ｃ７]  前記ＣＳＩ決定に使用されるサブキャリアが、前記リソースブロックのセットの前記サブセットに対応する、Ｃ５に記載の方法。
[Ｃ８]  ダウンリンクＣＳＩを決定することが、
前記複数のアンテナの現在のダウンリンクＣＳＩを測定すること、前記複数のアンテナの履歴ＣＳＩを利用すること、またはそれらの組合せをさらに備える、Ｃ５に記載の方法。
[Ｃ９]  前記マッピングが、
前記リソースブロックのセットの前記サブセットを前記複数のアンテナのうちの最も高いダウンリンクチャネル状態情報（ＣＳＩ）を有する第１のアンテナにマッピングすることをさらに備える、Ｃ１に記載の方法。
[Ｃ１０]  １つまたは複数のアップリンク送信を送信するために、前記リソースブロックのセットの前記サブセットを使用することが、
前記ＵＥのデジタルベースバンドにおいて前記複数のアンテナのうちの前記対応するアンテナを選択することを備える、Ｃ１に記載の方法。
[Ｃ１１]  １つまたは複数のアップリンク送信を送信するために、前記リソースブロックのセットの前記サブセットを使用することが、
前記ＵＥのアンテナポートにおいて前記複数のアンテナのうちの前記対応するアンテナを選択することを備える、Ｃ１に記載の方法。
[Ｃ１２]  ワイヤレス通信の方法であって、
ユーザ機器（ＵＥ）において、ダウンリンクを介して基地局からのアップリンクリソース割振りを受信することと、
前記ダウンリンクに関連付けられたチャネル状態情報（ＣＳＩ）を決定することと、
前記ＵＥによって、前記アップリンクリソース割振りに従って、および前記決定されたＣＳＩに基づいて、１つまたは複数のアップリンク送信を前記ＵＥの１つまたは複数のアンテナにマッピングすることと、
前記マッピングに基づいて、前記ＵＥの前記１つまたは複数のアンテナによって前記１つまたは複数のアップリンク送信を送信することとを備える方法。
[Ｃ１３]  前記ダウンリンクに関連付けられたＣＳＩを決定することが、
現在のＣＳＩを測定すること、履歴ＣＳＩを利用すること、またはそれらの組合せのうちの少なくとも１つによってＣＳＩを決定することを備える、Ｃ１２に記載の方法。
[Ｃ１４]  前記ダウンリンクに関連付けられたＣＳＩを決定することが、前記ＵＥの前記１つまたは複数のアンテナの各々についての前記ＣＳＩを決定することを備える、Ｃ１２に記載の方法。
[Ｃ１５]  前記１つまたは複数のアップリンク送信を前記ＵＥの前記１つまたは複数のアンテナにマッピングすることが、
前記アップリンクリソース割振りにおいて識別される個別のリソースブロックに対応する前記ダウンリンクに関連付けられた前記ＣＳＩに基づいて、前記１つまたは複数のアップリンク送信を前記ＵＥの前記１つまたは複数のアンテナにマッピングすることを備える、Ｃ１２に記載の方法。
[Ｃ１６]  前記ＣＳＩが、信号対雑音比（ＳＮＲ）、信号対干渉雑音比（ＳＩＮＲ）、または受信信号強度インジケータ（ＲＳＳＩ）のうちの少なくとも１つを備える、Ｃ１２に記載の方法。
[Ｃ１７]  ワイヤレス通信のためのユーザ機器（ＵＥ）装置であって、
基地局からのアップリンクリソース割振りを受信するための手段と、前記アップリンクリソース割振りは、リソースブロックのセットを備える、
前記リソースブロックのセットのサブセットを前記ＵＥの複数のアンテナのうちの１つまたは複数にマッピングするための手段と、
前記マッピングに少なくとも部分的に基づいて、前記複数のアンテナのうちの前記１つまたは複数の上で１つまたは複数のアップリンク送信を送信するために、前記リソースブロックのセットの前記サブセットを使用するための手段とを備えるユーザ機器（ＵＥ）装置。
[Ｃ１８]  前記マッピングは、スロットごとにまたはサブフレームごとにのうちの少なくとも１つで実行される、Ｃ１７に記載のＵＥ。
[Ｃ１９]  前記リソースブロックのセットのサブセットをマッピングするための前記手段が、
前記複数のアンテナの各々についてのダウンリンクチャネル特性を決定するための手段をさらに備え、前記リソースブロックのセットのサブセットをマッピングするための前記手段が、
前記ダウンリンクチャネル特性に基づいて、前記リソースブロックのセットのサブセットを前記複数のアンテナのうちの前記１つまたは複数にマッピングするようにさらに構成される、Ｃ１７に記載のＵＥ。
[Ｃ２０]  前記ＵＥによって、前記複数のアンテナについてのダウンリンクチャネル状態情報（ＣＳＩ）を決定するための手段をさらに備える、Ｃ１７に記載のＵＥ。
[Ｃ２１]  前記リソースブロックのセットのサブセットをマッピングするための前記手段が、
前記複数のアンテナについての前記ダウンリンクＣＳＩに基づいて、個別のリソースブロックを前記複数のアンテナのうちの前記１つまたは複数にマッピングするための手段をさらに備える、Ｃ２０に記載のＵＥ。
[Ｃ２２]  前記ＣＳＩ決定に使用されるサブキャリアが、前記リソースブロックのセットの前記サブセットに対応する、Ｃ２０に記載のＵＥ。
[Ｃ２３]  ダウンリンクＣＳＩを決定するための前記手段が、
前記複数のアンテナの現在のダウンリンクＣＳＩを測定するための手段、前記複数のアンテナの履歴ＣＳＩを利用する、またはそれらの組合せをさらに備える、Ｃ２０に記載のＵＥ。
[Ｃ２４]  ワイヤレス通信のためのユーザ機器（ＵＥ）装置であって、
ダウンリンクを介して基地局からのアップリンクリソース割振りを受信するための手段と、
前記ダウンリンクに関連付けられたチャネル状態情報（ＣＳＩ）を決定するための手段と、
前記アップリンクリソース割振りに従って、および前記決定されたＣＳＩに基づいて、１つまたは複数のアップリンク送信を前記ＵＥの１つまたは複数のアンテナにマッピングするための手段と、
前記マッピングに基づいて、前記ＵＥの前記１つまたは複数のアンテナによって前記１つまたは複数のアップリンク送信を送信するための手段とを備えるユーザ機器（ＵＥ）装置。
[Ｃ２５]  前記ダウンリンクに関連付けられたＣＳＩを決定するための前記手段が、
現在のＣＳＩを測定すること、履歴ＣＳＩを利用すること、またはそれらの組合せのうちの少なくとも１つによってＣＳＩを決定するための手段を備える、Ｃ２４に記載の装置。
[Ｃ２６]  前記ダウンリンクに関連付けられたＣＳＩを決定するための前記手段が、
前記ＵＥの前記１つまたは複数のアンテナの各々についての前記ＣＳＩを決定するための手段を備える、Ｃ２４に記載の装置。
[Ｃ２７]  前記１つまたは複数のアップリンク送信を前記ＵＥの前記１つまたは複数のアンテナにマッピングするための前記手段が、
前記アップリンクリソース割振りにおいて識別される個別のリソースブロックに対応する前記ダウンリンクに関連付けられた前記ＣＳＩに基づいて、前記１つまたは複数のアップリンク送信を前記ＵＥの前記１つまたは複数のアンテナにマッピングするための手段を備える、Ｃ２４に記載の装置。
[Ｃ２８]  前記ＣＳＩが、信号対雑音比（ＳＮＲ）、信号対干渉雑音比（ＳＩＮＲ）、または受信信号強度インジケータ（ＲＳＳＩ）のうちの少なくとも１つを備える、Ｃ２４に記載の装置。
[Ｃ２９]  ワイヤレス通信のためのユーザ機器（ＵＥ）装置であって、
プロセッサと、
前記プロセッサと電子通信しているメモリと、
前記メモリに記憶された命令とを備え、前記命令は、
基地局からのアップリンクリソース割振りを受信することと、前記アップリンクリソース割振りは、リソースブロックのセットを備える、
前記リソースブロックのセットのサブセットを前記ＵＥにおける複数のアンテナのうちの１つまたは複数にマッピングすることと、
前記マッピングに少なくとも部分的に基づいて、前記複数のアンテナのうちの前記１つまたは複数の上で１つまたは複数のアップリンク送信を送信するために、前記リソースブロックのセットの前記サブセットを使用することとを行うように前記プロセッサによって実行可能である、ユーザ機器（ＵＥ）装置。
[Ｃ３０]  マッピングするための前記命令が、スロットごとまたはサブフレームごとのうちの少なくとも１つで前記リソースブロックのセットのサブセットをマッピングするための命令を含む、Ｃ２９に記載のＵＥ。
[Ｃ３１]  前記メモリに記憶された前記命令が、
前記複数のアンテナの各々についてダウンリンクチャネル特性を決定するように前記プロセッサによってさらに実行可能であり、マッピングするための前記命令が、
前記ダウンリンクチャネル特性に基づいて、前記リソースブロックのセットのサブセットを前記複数のアンテナのうちの前記１つまたは複数にマッピングするための命令を含む、Ｃ２９に記載のＵＥ。
[Ｃ３２]  前記メモリに記憶された前記命令が、
前記複数のアンテナについてのダウンリンクチャネル状態情報（ＣＳＩ）を決定するように前記プロセッサによってさらに実行可能である、Ｃ２９に記載のＵＥ。
[Ｃ３３]  マッピングするための前記命令が、
前記複数のアンテナについての前記ダウンリンクＣＳＩに基づいて、個別のリソースブロックを前記複数のアンテナのうちの前記１つまたは複数にマッピングするための命令を含む、Ｃ３２に記載のＵＥ。
[Ｃ３４]  前記ＣＳＩ決定に使用されるサブキャリアが、前記リソースブロックのセットの前記サブセットに対応する、Ｃ３２に記載のＵＥ。
[Ｃ３５]  ダウンリンクＣＳＩを決定するための前記命令が、
前記複数のアンテナの現在のダウンリンクＣＳＩを測定すること、前記複数のアンテナの履歴ＣＳＩを利用すること、またはそれらの組合せのための命令をさらに含む、Ｃ３２に記載のＵＥ。